(57)【特許請求の範囲】
【請求項１】
所定量の試料液を収容可能な容器と、
該容器を保持するホルダと、
不凍液が収容されるとともに、当該不凍液を冷却する冷却手段が配設された冷却槽と、
試料液の温度を検知可能な温度検知手段を移動させて容器内に挿通可能とされるとともに、当該温度検知手段と共に前記容器を移動可能とされ、当該温度検知手段を挿通させた状態の容器を冷却槽内まで移動させ得る移動手段と、
を具備し、前記容器内の試料液を過冷却させた後、振動による氷結刺激を加えて固体と液体とが共存した状態に変換したときの温度を前記温度検知手段にて検知することにより当該試料液の凝固温度を測定して浸透圧を分析する浸透圧分析装置において、
前記温度検知手段を払拭するための払拭手段と、
該払拭手段を収容するとともに、前記ホルダにて保持された払拭用容器と、
前記容器内に挿通されて試料液に振動を付与させる振動手段と、
を具備するとともに、前記振動手段が前記温度検知手段と共に前記移動手段により移動し、前記試料液内又は払拭手段に至るよう構成され、且つ、当該移動手段によって移動される前記温度検知手段及び振動手段を前記払拭用容器内に挿通させつつ前記払拭手段にて払拭可能な構成とされるとともに、前記ホルダは、１つ又は複数の容器及び払拭用容器を保持可能とされ、測定すべき試料液を収容した容器又は払拭用容器を交互に前記温度検知手段の下方の位置まで移動可能とされたことを特徴とする浸透圧分析装置。
【請求項２】
前記払拭手段は、払拭用容器内に収容されたスポンジから成ることを特徴とする請求項１記載の浸透圧分析装置。
【請求項３】
前記スポンジには、前記温度検知手段を挿通可能な孔又は凹部が形成されたことを特徴とする請求項２記載の浸透圧分析装置。
【請求項４】
前記払拭手段は、払拭用容器内に収容されたブラシから成ることを特徴とする請求項１記載の浸透圧分析装置。
【請求項５】
前記払拭用容器内には、前記払拭手段と共に前記温度検知手段を洗浄する洗浄液が収容されたことを特徴とする請求項１〜４の何れか１つに記載の浸透圧分析装置。
【発明の詳細な説明】
【技術分野】
【０００１】
本発明は、試料液を過冷却させた後、振動による氷結刺激を加えて固体と液体とが共存した状態に変換したときの温度を検知することにより当該試料液の凝固温度を測定して浸透圧を分析する浸透圧分析装置に関するものである。
【背景技術】
【０００２】
透析治療で用いられる透析液は、一般に、使用前に試料液（サンプル液）として適量採取し、その浸透圧を浸透圧分析装置にて分析してそれを指標としている。かかる従来の浸透圧分析装置は、採取した透析液を試料液として収容した容器に挿通可能なサーミスタ及び振動針と、不凍液が収容された冷却槽と、サーミスタおよび振動針を容器内の試料液に浸した状態のまま冷却液内に移動させる移動手段とを具備していた。
【０００３】
具体的には、試料液を過冷却（凝固温度を超えて更に冷却させても凍結しない状態）させた後、振動針による振動で氷結刺激を加えて固体と液体とが共存した状態（固液共存状態）に変換し、そのときの温度をサーミスタ等の温度検知手段にて検知することにより当該試料液の凝固温度を測定するよう構成されていた。
【０００４】
然るに、試料液の浸透圧が高いほどその凝固温度が低く、浸透圧が低いほどその凝固温度が高いことから、上記の如く凝固温度を測定することにより浸透圧を分析することができるのである。この測定された浸透圧を指標とすれば、透析液が概ね所望のものであるか否かを判別することができる。尚、かかる先行技術は、文献公知発明に係るものでないため、記載すべき先行技術文献情報はない。
【発明の開示】
【発明が解決しようとする課題】
【０００５】
しかしながら、上記従来の浸透圧分析装置においては、浸透圧分析時、サーミスタ等の温度検知手段及び振動針が試料液に浸されることから、以下の如き問題があった。即ち、前に測定した試料液が付着したまま次の試料液を測定してしまうと、凝固温度及び浸透圧を精度よく測定、分析することができないので、測定終了の度に当該温度検知手段及び振動針に付着した試料液を作業者がガーゼ、ティッシュペーパー等で払拭する必要があり、作業に手間がかかってしまうという不具合があった。
【０００６】
然るに、温度検知手段及び振動針に付着した試料液を測定終了毎に払拭させる別個の駆動機構（例えば測定終了を検知するとアクチュエータにて動作する払拭手段を具備したもの等）を設ければ、作業者による払拭作業を不要として作業性を向上させることができると思われるものの、その場合、別個の機構が必要な分だけ製造コストが嵩んでしまうとともに、装置構成が複雑となってメンテナンス等が困難になってしまうという問題がある。
【０００７】
本発明は、このような事情に鑑みてなされたもので、作業者による払拭作業を不要として作業性を向上させることができるとともに、払拭のための別個の駆動機構を不要として製造コストを抑制しつつ装置構成を簡素化することができる浸透圧分析装置を提供することにある。
【課題を解決するための手段】
【０００８】
請求項１記載の発明は、所定量の試料液を収容可能な容器と、該容器を保持するホルダと、不凍液が収容されるとともに、当該不凍液を冷却する冷却手段が配設された冷却槽と、試料液の温度を検知可能な温度検知手段を移動させて容器内に挿通可能とされるとともに、当該温度検知手段と共に前記容器を移動可能とされ、当該温度検知手段を挿通させた状態の容器を冷却槽内まで移動させ得る移動手段とを具備し、前記容器内の試料液を過冷却させた後、振動による氷結刺激を加えて固体と液体とが共存した状態に変換したときの温度を前記温度検知手段にて検知することにより当該試料液の凝固温度を測定して浸透圧を分析する浸透圧分析装置において、前記温度検知手段を払拭するための払拭手段と、該払拭手段を収容するとともに、前記ホルダにて保持された払拭用容器と、前記容器内に挿通されて試料液に振動を付与させる振動手段とを具備するとともに、前記振動手段が前記温度検知手段と共に前記移動手段により移動し、前記試料液内又は払拭手段に至るよう構成され、且つ、当該移動手段によって移動される前記温度検知手段及び振動手段を前記払拭用容器内に挿通させつつ前記払拭手段にて払拭可能な構成とされるとともに、前記ホルダは、１つ又は複数の容器及び払拭用容器を保持可能とされ、測定すべき試料液を収容した容器又は払拭用容器を交互に前記温度検知手段の下方の位置まで移動可能とされたことを特徴とする。
【００１１】
請求項２記載の発明は、請求項１記載の浸透圧分析装置において、前記払拭手段は、払拭用容器内に収容されたスポンジから成ることを特徴とする。
【００１２】
請求項３記載の発明は、請求項２記載の浸透圧分析装置において、前記スポンジには、前記温度検知手段を挿通可能な孔又は凹部が形成されたことを特徴とする。
【００１３】
請求項４記載の発明は、請求項１記載の浸透圧分析装置において、前記払拭手段は、払拭用容器内に収容されたブラシから成ることを特徴とする。
【００１４】
請求項５記載の発明は、請求項１〜４の何れか１つに記載の浸透圧分析装置において、前記払拭用容器内には、前記払拭手段と共に前記温度検知手段を洗浄する洗浄液が収容されたことを特徴とする。
【発明の効果】
【００１５】
請求項１の発明によれば、払拭手段を収容した払拭用容器をホルダにて保持させ、移動手段によって移動される温度検知手段を当該払拭用容器内に挿通させつつ払拭手段にて払拭可能とされたので、作業者による払拭作業を不要として作業性を向上させることができるとともに、払拭のための別個の駆動機構を不要として製造コストを抑制しつつ装置構成を簡素化することができる。
【００１６】
さらに、容器内に挿通されて試料液に振動を付与させる振動手段を具備し、当該振動手段が温度検知手段と共に移動手段により移動し、試料液内又は払拭手段に至るよう構成されたので、払拭手段にて振動手段と温度検知手段とを同時に払拭することができる。
【００１７】
さらに、ホルダは、１つ又は複数の容器及び払拭用容器を保持可能とされ、測定すべき試料液を収容した容器と払拭用容器とを交互に温度検知手段の下方の位置まで移動可能とされたので、試料液を自動的に測定可能であり、或いは、複数の容器を保持させた場合は、それら容器内の試料液を自動的に順次測定することができるとともに、測定と払拭とを交互に繰り返し行わせることができる。
【００１８】
請求項２の発明によれば、払拭手段は、払拭用容器内に収容されたスポンジから成るので、払拭手段を安価なもので構成することができ容易に使い捨てすることができる。
【００１９】
請求項３の発明によれば、スポンジには、温度検知手段を挿通可能な孔又は凹部が形成されたので、当該温度検知手段の先端から側面の広い範囲に亘って付着した試料液を払拭させることができる。
【００２０】
請求項４の発明によれば、払拭手段は、払拭用容器内に収容されたブラシから成るので、払拭手段を安価なもので構成することができ容易に使い捨てすることができる。
【００２１】
請求項５の発明によれば、払拭用容器内には、払拭手段と共に温度検知手段を洗浄する洗浄液が収容されたので、移動手段によって移動される温度検知手段を払拭用容器内に挿通させることにより、払拭手段による払拭と洗浄液による洗浄とを併せて行わせることができる。
【発明を実施するための最良の形態】
【００２２】
以下、本発明の実施形態について図面を参照しながら具体的に説明する。
本実施形態に係る浸透圧分析装置は、試料液を過冷却させた後、振動による氷結刺激を加えて固体と液体とが共存した状態に変換したときの温度を検知することにより当該試料液の凝固温度を測定して浸透圧を分析するものであり、試料液として透析液が用いられる。即ち、透析液の浸透圧を分析し、その測定値を指標とすることにより、透析治療で用いようとする透析液が概ね所望のものであるか否かを判別可能とするのである。
【００２３】
本浸透圧分析装置は、図１〜５に示すように、タッチキー付画面２１及び操作手段２２等が形成された本体１と、６つの容器２及び１つの払拭用容器１１を保持したホルダ３と、冷却槽７と、移動手段４とから主に構成されたものである。本体１は、本浸透圧分析装置の筐体を成すものであり、上面にホルダ３を収容したバット１０が形成されるとともに、正面にタッチキー付画面２１及び操作手段２２が形成されている。
【００２４】
容器２は、内部に所定量の試料液（本実施形態においては透析液）を収容可能なもので、上方が開口しつつ底面が弧状に形成された透明部材から成る。かかる容器２は、必ずしも透明部材である必要はないが、伝熱性の良好な材料から成るものが好ましい。この容器２にそれぞれ異なった試料液（透析装置の異なった部位の透析液）を収容させ、ホルダ３の保持孔３ａ（図３参照）にそれぞれ挿通させて保持させ得るようになっている。かかるホルダ３は、保持孔３ａに加えて保持孔３ｂが形成されており、容器２を６つの保持孔３ａに保持させつつ払拭用容器１１を１つの保持孔３ｂに保持させ、これらを直列状に保持可能とされたものである。
【００２５】
一方、本体１には、図３に示すように、モータＭと、該モータＭで駆動するプーリＰ２と、該プーリＰ２との間でベルト１２を懸架可能なプーリＰ１とが形成されており、ベルト１２には連動部材１３を介してホルダ３が連結されている。そして、モータＭを駆動させてベルト１２を回動させれば、ホルダ３が当該ベルト１２に沿ってバット１０内を直線状に移動するようになっている。而して、ホルダ３を所望位置まで移動させれば、保持した何れかの容器２又は払拭用容器１１を所定位置（サーミスタ５及び振動針６の下方の位置である測定位置）とすることができる。尚、同図中符号Ｓ１、２は、当該位置決め用のセンサを示している。
【００２６】
冷却槽７は、内部に収容空間を有した断熱材等から成るもので、図２に示すように、不凍液が収容されるとともに、当該不凍液を冷却する冷却手段８が配設されて成るものである。冷却手段８は、冷却用サーモモジュールから成り、例えば表面が冷却槽７内部に臨ませたペルチェ素子８ａ（電流を流すことにより表面側が冷却され、その分裏面側が加温される素子）とされ、その裏面側に放熱のためのフィン８ｂが形成されたものである。尚、ペルチェ素子８ａに代えて冷却槽７内の不凍液を冷却させ得る汎用の冷却手段とすることができる。
【００２７】
また、冷却槽７の上面から内部には、図２に示すように、案内部材９が挿通して配設されている。この案内部材９は、上方が開口しつつ内部に容器２及び払拭用容器１１を収容可能な空間が形成されており、図４に示すように、当該容器２及び払拭用容器１１の底面を支持する支持部１４と、該支持部１４を図中上方へ付勢するスプリング１５とから主に構成されている。尚、案内部材９の冷却槽７内部に位置する側面には、切欠き９ａが形成されて冷却槽７内部と案内部材９内部とが連通しており、当該冷却槽７内の不凍液が案内部材９内部にも満たされた状態となっている。
【００２８】
移動手段４は、本体１上面から上方に延びた作動ロッド４ｂと、該作動ロッド４ｂと共に動作する従動ロッド４ａとを有して構成されたものであり、試料液の温度を検知可能なサーミスタ５（温度検知手段）及び試料液に振動を付与させる振動針６（振動手段）を移動させて容器２内に挿通可能とされるとともに、当該サーミスタ５と共に容器２を下方へ移動可能とされ、当該サーミスタ５を挿通させた状態の容器２（払拭用容器１１も同様）を冷却槽７内まで移動させ得るものである。然るに、作動ロッド４ｂが伸長（本体１上面から移動手段４が遠ざかる方向への移動）又は収縮（本体１上面に移動手段４が近づく方向）して従動ロッド４ａが上下に移動することにより、サーミスタ５及び振動針６が上下に移動し得るようになっている。
【００２９】
而して、容器２（又は払拭用容器１１）が案内部材９の上方の位置（即ち、サーミスタ５及び振動針６の下方の位置であって測定位置）に位置決めされ、その底面が支持部１４にて支持された状態において、作動ロッド４ｂを収縮してサーミスタ５及び振動針６を下方へ移動させれば、図５に示すように、当該サーミスタ５及び振動針６が容器２（又は払拭用容器１１）内に挿通し得るようになっている。この状態で、同図に示すように、サーミスタ５及び振動針６の先端側が容器２（又は払拭用容器１１）内の試料液に漬されるとともに、従動ロッド４ａの端面（サーミスタ５及び振動針６が取り付けられる基端面）が容器２（又は払拭用容器１１）の開口縁部に当接するようになっている。
【００３０】
従って、作動ロッド４ｂを更に収縮させて従動ロッド４ａを下降させれば、サーミスタ５及び振動針６と共に容器２（又は払拭用容器１１）を下方へ移動することができ、当該サーミスタ５及び振動針６を挿通させた状態の容器２（又は払拭用容器１１）を冷却槽７内まで移動させることができるのである。より具体的には、従動ロッド４ａで押圧された容器２（又は払拭用容器１１）は、支持部１４で支持されつつスプリング１５の付勢力に抗して下降し、案内部材９内部に至るので、冷却手段８で冷却された不凍液に浸されることとなる。
【００３１】
上記の如く不凍液に容器２が浸されることにより、内部に収容された試料液が急速に冷却される。こうして、容器２内の試料液を過冷却させた後、振動針６を駆動させて振動させ、その振動により氷結刺激を加えて固体と液体とが共存した状態（固液共存状態）に変換させる。このときの温度をサーミスタ５にて検知することにより当該試料液の凝固温度を測定することができ、この凝固温度に基づき浸透圧を分析することができる。これにより、容器２内の試料液における浸透圧を分析することができるので、その値を指標とすれば、透析液が概ね所望のものであるか否かを判別することができる。
【００３２】
即ち、移動手段４により容器２内にサーミスタ５及び振動針６が挿通され、その状態を維持しつつ更に容器２が移動手段４により下降して案内部材９内に至れば、冷却槽７の不凍液に浸されることとなり、内部の試料液が急速に冷却されるとともに、過冷却させた後に振動針６にて振動を加えて固液共存状態となった温度をサーミスタ５にて検知すれば、当該試料液の凝固温度（即ち、浸透圧）を測定することができるのである。
【００３３】
測定後は、作動ロッド４ｂを伸長させて従動ロッド４ａを上昇させれば、スプリング１５の付勢力により容器２及び支持部１４も追随して上昇し、当該支持部１４が初期位置になった時点で容器２は停止する一方、そこから更に作動ロッド４ｂを伸長させて従動ロッド４ａを上昇させれば、サーミスタ５及び振動針６が容器２から上方へ離間され、初期位置に戻ることとなる。これにより一つの試料液に対する測定動作が終了する。
【００３４】
ここで、本実施形態においては、図６に示すように、温度検知手段としてのサーミスタ５及び振動手段としての振動針６を払拭するための払拭手段１６を具備するとともに、既述のように、当該払拭手段１６を収容した払拭用容器１１をホルダ３の保持孔３ｂ（図３参照）にて保持させている。払拭手段１６は、払拭用容器１１内の底面に収容されたスポンジから成るものであり、移動手段４によって移動されるサーミスタ５及び振動針６を当該払拭用容器１１内に挿通させつつ、その先端側に付着した試料液等をスポンジの吸収作用により払拭可能とされている。
【００３５】
更に、本実施形態においては、ホルダ３が複数（６つ）の容器２及び（１つの）払拭用容器１１を直線状に保持可能とされ、測定すべき試料液を収容した容器２（６つの容器２のうち何れか１つ）と払拭用容器１１とを交互にサーミスタ５及び振動針６の下方の位置まで移動可能とされている。具体的には、初期状態においてサーミスタ５及び振動針６の下方の位置には、払拭用容器１１が位置している（図１２参照）とともに、本体１の操作手段２２を操作して測定を開始させると、まず、モータＭが正転駆動してホルダ３を図中左側へ移動させ、当該払拭用容器１１に最も近い位置の容器２をサーミスタ５及び振動針６の下方の位置まで移動させる。
【００３６】
そして、移動手段４によりサーミスタ５及び振動針６を下降させれば、当該サーミスタ５及び振動針６が容器２内に挿通されてその先端側が内部の試料液に浸されるとともに、その挿通状態のまま当該容器２が下降して案内部材９内に至り、冷却槽７の不凍液に浸されて冷却されることとなる（図１３参照）。こうして、当該容器２内の試料液の浸透圧が分析された後、移動手段４によりサーミスタ５及び振動針６が上昇する。
【００３７】
その後、モータＭが逆転駆動してホルダ３を図中右側へ移動させ初期状態まで戻す（図１２参照）とともに、移動手段４によりサーミスタ５及び振動針６を下降して払拭用容器１１内に挿通させることにより、その先端側を内部の払拭手段１６に至らせる。このとき、当該先端側に付着した試料液がスポンジから成る払拭手段１６にて払拭されることとなる（図１４参照）。かかる払拭動作後、移動手段４によりサーミスタ５及び振動針６が上昇するとともに、モータＭが正転駆動してホルダ３を再び図中左側へ移動させ、今度は払拭用容器１１に最も近い位置から２つ目の容器２をサーミスタ５及び振動針６の下方の位置まで移動させる（図１５参照）。
【００３８】
以下、払拭手段１６による払拭動作を介在させつつ順次容器２内の試料液に対する浸透圧分析を行わせることとなる。このように、試料液を収容した容器２と、払拭手段１６を収容した払拭用容器１１とを交互にサーミスタ５及び振動針６の下方の位置に移動させ、凝固温度の測定動作と払拭動作とを交互に行わせることにより、前の測定時にサーミスタ５及び振動針６に付着した試料液が次の測定時まで残存してしまい測定精度に悪影響を及ぼしてしまうのを抑制することができる。
【００３９】
上記実施形態によれば、払拭手段１６を収容した払拭用容器１１をホルダ３にて保持させ、移動手段４によって移動されるサーミスタ５及び振動針６を当該払拭用容器１１内に挿通させつつ払拭手段１６にて払拭可能とされたので、作業者による払拭作業を不要として作業性を向上させることができるとともに、払拭のための別個の駆動機構を不要として製造コストを抑制しつつ装置構成を簡素化することができる。
【００４０】
即ち、本実施形態によれば、サーミスタ５及び振動針６を上下移動させる移動手段４と、ホルダ３を左右に移動（スライド）させるモータＭとの協働動作により容器２を冷却槽７内に移動せしめて浸透圧測定動作を行わせ得るととともに、同様の協働動作により払拭手段１６での払拭動作を行わせることができるので、払拭のための別個の駆動機構等が不要とされるのである。尚、移動手段４或いはモータＭに代え、サーミスタ５及び振動針６を上下動させホルダ３をスライドさせ得るものであれば、それぞれ他の駆動機構としてもよい。
【００４１】
また、本実施形態によれば、容器２内に挿通されて試料液に振動を付与させる振動手段としての振動針６を具備し、当該振動針６が温度検知手段としてのサーミスタ５と共に移動手段４により移動し、試料液内又は払拭手段１６に至るよう構成されたので、払拭手段１６にて振動針６とサーミスタ５とを同時に払拭することができる。
【００４２】
更に、本実施形態によれば、ホルダ３は、複数の容器２及び払拭用容器１１を保持可能とされ、測定すべき試料液を収容した容器２又は払拭用容器１１を交互にサーミスタ５（温度検知手段）の下方の位置まで移動可能とされたので、複数の容器２内の試料液を自動的に順次測定することができるとともに、測定と払拭とを交互に繰り返し行わせることができる。尚、本実施形態においては、ホルダ３は複数の容器２及び払拭用容器１１を保持しつつ直線状にスライドするものとされているが、例えば円環状に形成されて周方向に移動するものであってもよい。勿論、ホルダ３が１つの容器２と１つの払拭用容器１１とを保持するものであってもよい。
【００４３】
また更に、本実施形態によれば、払拭手段１６は、払拭用容器１１内に収容されたスポンジから成るので、払拭手段１６を安価なもので構成することができ容易に使い捨てすることができる。尚、本実施形態においては、払拭用容器１１が他の容器２と略同一形状のものとされているので、当該容器２を流用して内部に払拭手段１６を収容させ、払拭用容器１１とすることができる。勿論、払拭用容器１１が他の容器２と異なる形状、寸法のものであってもよい。
【００４４】
以上、本実施形態について説明したが、本発明はこれに限定されるものではなく、例えば図７に示すように、払拭手段が払拭用容器１１内に収容されたスポンジ１７から成り、そのスポンジ１７には、少なくともサーミスタ５（温度検知手段）（本実施形態においてはサーミスタ５及び振動針６）を挿通可能な孔１７ａ（図８（ａ）で示す如き上面から下面まで貫通した孔）又は凹部１７ａ’（同図（ｂ）で示す如き下面に貫通しない穴）が形成されたものとしてもよい。
【００４５】
この場合、移動手段４によりサーミスタ５（及び振動針６）を下降して払拭用容器１１内に挿通させることにより、その先端側を内部の払拭手段１７に至らせた際、当該サーミスタ５（及び振動針６）が孔１７ａ又は凹部１７ａ’に挿通されつつスポンジの吸収作用で払拭動作がなされることとなる。従って、サーミスタ５（及び振動針６）の先端から側面の広い範囲に亘って付着した試料液を払拭させることができる。
【００４６】
また、スポンジに代え、図９に示すように、払拭用容器１１内に収容されたブラシから成る払拭手段１８としてもよい。かかる払拭手段１８は、例えば払拭用容器１１の底面に貼り付け可能なシート１８ａに形成された毛１８ｂから成り、当該毛１８ｂとして例えばポリプロピレン、ナイロン、フッ素樹脂又はアクリルなどの線状材料を用いることができる。
【００４７】
この場合、移動手段４によりサーミスタ５（及び振動針６）を下降して払拭用容器１１内に挿通させることにより、その先端側を内部の払拭手段１８に至らせた際、当該サーミスタ５（及び振動針６）が毛１８ｂにより触れ、その払拭作用と吸収作用で払拭動作がなされることとなる。従って、スポンジで払拭手段を構成させたものと同様、払拭手段１８を安価なもので構成することができ容易に使い捨てすることができる。
【００４８】
更に、上記の如きブラシで払拭手段を構成するとともに、図１０で示すように、当該ブラシ１９を払拭用容器１１内の壁面に複数固定させるようにしてもよい。かかるブラシ１９は、図１１で示すように、例えば払拭用容器１１の内周壁面に貼り付け可能なシート１９ａに形成された毛１９ｂから成り、当該毛１９ｂとして例えばポリプロピレン、ナイロン、フッ素樹脂又はアクリルなどの線状材料を用いることができる。
【００４９】
然るに、同図に示すように、ブラシ１９を同心円状に複数（４つ）固定させ、毛１９ｂの部分をサーミスタ５（及び振動針６）が通過するよう構成されているとともに、払拭用容器１１には、洗浄液２０が収容されている。洗浄液２０は、例えばＲＯ水などの洗浄用の水から成り、その液面がブラシ１９の固定部位より下方とされつつ払拭用容器１１内に収容されている。
【００５０】
この場合、移動手段４によって移動されるサーミスタ５（及び振動針６）を払拭用容器１１内に挿通させることにより、払拭手段１９による払拭（毛１９ｂによる払拭作用）と洗浄液２０による洗浄とを併せて行わせることができる。尚、払拭用容器１１に払拭手段１９のみを形成させ、洗浄液２０を収容しないものとしてもよい。勿論、払拭手段１９は、払拭用容器１１の内周壁面において、単独、又は４つ以外の複数個形成するようにしてもよい。
【００５１】
尚、払拭手段は、ホルダに保持された払拭用容器１１内に収容され、サーミスタ５（及び振動針６）を払拭用容器１１内に挿通させることにより払拭可能なものであれば、他の形態のものであってもよい。また、本実施形態においては、試料液として透析液が適用されているが、他の試料液を用いてその浸透圧を分析するものであってもよい。更に、サーミスタ５に代えて、移動手段で移動されて容器内に挿通され、試料液の温度を検知可能な他の温度検知手段としてもよい。
【産業上の利用可能性】
【００５２】
温度検知手段を払拭するための払拭手段と、払拭手段を収容するとともに、ホルダにて保持された払拭用容器と、容器内に挿通されて試料液に振動を付与させる振動手段とを具備するとともに、振動手段が温度検知手段と共に移動手段により移動し、試料液内又は払拭手段に至るよう構成され、且つ、当該移動手段によって移動される温度検知手段及び振動手段を払拭用容器内に挿通させつつ払拭手段にて払拭可能な構成とされるとともに、ホルダは、１つ又は複数の容器及び払拭用容器を保持可能とされ、測定すべき試料液を収容した容器又は払拭用容器を交互に温度検知手段の下方の位置まで移動可能とされた浸透圧分析装置であれば、他の形態及び用途のものにも適用することができる。
【図面の簡単な説明】
【００５３】
【図１】本発明の実施形態に係る浸透圧分析装置を示す外観模式図
【図２】同浸透圧分析装置における容器、払拭用容器を保持したホルダと冷却槽との位置関係を示す模式図
【図３】同浸透圧分析装置におけるホルダの駆動機構を示す模式図
【図４】同浸透圧分析装置における容器（払拭用容器）と案内部材９との位置関係を示す模式図
【図５】図４の状態から容器が下降して案内部材９内に収容された状態を示す模式図
【図６】同浸透圧分析装置における払拭用容器内に収容された払拭手段を示す模式図
【図７】同浸透圧分析装置において他の払拭手段（スポンジから成るもの）を示す模式図
【図８】同他の払拭手段（スポンジから成るもの）の断面を示す模式図
【図９】同浸透圧分析装置において他の払拭手段（ブラシから成るもの）を示す模式図
【図１０】同浸透圧分析装置において他の払拭手段（ブラシから成るものであって払拭用容器内に洗浄液が収容されたもの）を示す模式図
【図１１】同他の払拭手段（ブラシから成るものであって払拭用容器内に洗浄液が収容されたもの）のブラシを示す模式図
【図１２】同浸透圧分析装置におけるホルダが初期状態とされ、サーミスタが初期位置とされた状態を示す模式図
【図１３】同浸透圧分析装置におけるホルダが移動して、１番目の容器内にサーミスタを挿通させつつ当該容器を冷却槽内に移動させた状態を示す模式図
【図１４】同浸透圧分析装置におけるホルダが移動して、払拭用容器内にサーミスタを挿通させつつ当該容器を冷却槽内に移動させた状態を示す模式図
【図１５】同浸透圧分析装置におけるホルダが移動して、２番目の容器内にサーミスタを挿通させつつ当該容器を冷却槽内に移動させた状態を示す模式図
【符号の説明】
【００５４】
１    本体
２    容器
３    ホルダ
４    移動手段
５    サーミスタ（温度検知手段）
６    振動針（振動手段）
７    冷却槽
８    冷却手段
９    案内部材
１０  バット
１１  払拭用容器
１２  ベルト
１３  連動部材
１４  支持部
１５  スプリング
１６〜１９  払拭手段
２０  洗浄液
２１  タッチキー付画面
２２  操作手段
【図１】
0005350663.tif 000002
【図２】
0005350663.tif 000003
【図３】
0005350663.tif 000004
【図４】
0005350663.tif 000005
【図５】
0005350663.tif 000006
【図６】
0005350663.tif 000007
【図７】
0005350663.tif 000008
【図８】
0005350663.tif 000009
【図９】
0005350663.tif 000010
【図１０】
0005350663.tif 000011
【図１１】
0005350663.tif 000012
【図１２】
0005350663.tif 000013
【図１３】
0005350663.tif 000014
【図１４】
0005350663.tif 000015
【図１５】
0005350663.tif 000016